(57)【要約】【課題】楽しく眼鏡拭きの作業ができるとともに、不使用時には置物としても使用できる眼鏡拭きを提供する。【解決手段】動物等の形態をしたぬいぐるみの口部１を開閉自在とし、その口部１の内面に眼鏡拭き布１３を縫着する。動物が口で眼鏡をくわえるように、口部１で眼鏡を挟みこめば、口部１の内面の眼鏡拭き布１３で眼鏡の汚れを拭き取ることができる。また、眼鏡拭き全体がぬいぐるみの形状をしているため、楽しく眼鏡拭きを行うことができるとともに、不使用時には置物としても使用できる。【選択図】図２
0003102044.tif 000002
【実用新案登録請求の範囲】
【請求項１】
動物等の形態をしたぬいぐるみの口部を開閉自在とし、その口部の内面に眼鏡拭き布を縫着したことを特徴とする眼鏡拭き。
【請求項２】
前記口部の上顎部内に、ぬいぐるみの下面開口から指を挿入可能なポケットを形成したことを特徴とする請求項１記載の眼鏡拭き。
【請求項３】
前記口部の下顎部の下面に、指掛け紐を付設したことを特徴とする請求項１又は２記載の眼鏡拭き。
【請求項４】
前記眼鏡拭き布が、高密度繊維の織布又は不織布であることを特徴とする請求項１〜３のいずれかに記載の眼鏡拭き。
【請求項５】
前記ぬいぐるみにストラップが設けられたことを特徴とする請求項１〜４のいずれかに記載の眼鏡拭き。
【請求項６】
前記動物が、犬、猫、うさぎ、熊、イルカ、カメ、アザラシ又はシャチであることを特徴とする請求項１〜５のいずれかに記載の眼鏡拭き。
【請求項７】
動物等の形態をしたぬいぐるみの口部を開閉自在とし、その口部の内面に、高密度繊維の織布又は不織布からなる眼鏡拭き布を縫着し、前記口部の上顎部内に、ぬいぐるみの下面開口から指を挿入可能なポケットを形成し、前記口部の下顎部の下面に、指掛け紐を付設したことを特徴とする眼鏡拭き。
【考案の詳細な説明】
【技術分野】
【０００１】
本考案は、眼鏡レンズの汚れを除去するための眼鏡拭きに関する。
【背景技術】
【０００２】
従来の眼鏡拭きは、正方形や長方形等の一枚布であり、折り畳んだ布の間に眼鏡を挟み込んで眼鏡を拭いていた。
【考案の開示】
【考案が解決しようとする課題】
【０００３】
しかしながら、従来の眼鏡拭きは装飾性に乏しく、眼鏡拭き以外の用途はなかった。また、使用後は眼鏡ケースに収納しなくてはならないので面倒であった。
【０００４】
本考案は、上記に鑑み、楽しく眼鏡拭きの作業ができるとともに、不使用時には置物としても使用できる眼鏡拭きを提供することを目的とする。
【課題を解決するための手段】
【０００５】
上記課題を解決するために、本考案は、動物等の形態をしたぬいぐるみの口部を開閉自在とし、その口部の内面に眼鏡拭き布を縫着したことを特徴とする眼鏡拭きである。ぬいぐるみの口部を開口させ、その間に眼鏡のレンズを挟めば、口部内面の眼鏡拭き布で眼鏡レンズの汚れ等を拭き取ることができる。眼鏡拭き全体が動物の形態をしたぬいぐるみからなるので、ペット感覚でぬいぐるみに愛着がわくとともに、かわいい動物の口で眼鏡を拭くことができるという楽しさがある。さらにまた、ぬいぐるみなので、不使用時には置物として使用することができるので、ケースに収納するなどのわずらわしさがない。
【０００６】
前記口部の上顎部内に、ぬいぐるみの下面開口から指を挿入可能なポケットを形成することができる。上顎部内のポケット内部に指を挿入して使用すれば、指が上顎部に固定されて上顎部の操作をしやすくなり、眼鏡が拭きやすい。なお、ポケットの指挿入口はどの面に設けてもよいが、ぬいぐるみの下面に開口を設けて後方から前方に向かって挿入できる形態としたほうが、口部の開閉状態が動物の口の開閉状態と同じになるので、好ましい。
【０００７】
前記口部の下顎部の下面に指掛け紐を付設することができる。下顎部の下面の指掛け紐に指を通して使用すれば、指が下顎部に固定されて下顎部の操作をしやすくなるので、眼鏡が拭きやすい。なお、下顎部の下面の指掛け紐の指挿入方向はどの方向でもよいが、後方側から挿入できるように設ければ、口部の開閉状態が動物の口の開閉状態と同じとなるので、好ましい。
【０００８】
また、口部の上顎部内に、指を挿入可能なポケットを形成するとともに、口部の下顎部の下面に指掛け紐を付設する構成とするのが好ましい。たとえば上顎部のポケットに人差し指を入れ、下顎部の指掛け紐に親指を挿入すれば、親指と人差し指との指の腹面で眼鏡を拭く感覚となり、非常に拭きやすくなる。
【０００９】
眼鏡拭き布が、高密度繊維の織布又は不織布とすることができる。高密度繊維の織布又は不織布であれば、限定されるものではない。布が高密度であることにより、眼鏡を傷つけず、汚れを拭き取ることができる。
【００１０】
前記ぬいぐるみにストラップを設けてもよい。ストラップを設けることにより、持ちやすくなり、また、眼鏡ケースなどにひっかけることもできる。なお、ストラップを設ける部分は特に限定されるものではないが、ぬいぐるみの首に設ければ、首輪と散歩用の紐のようになり、美観性が増す。
【００１１】
動物の種類は特に限定されるものではないが、犬、猫、うさぎ、熊、イルカ、カメ、アザラシ、シャチ、人間又はその他の種々の動物を採用することができる。
【考案の効果】
【００１２】
以上の説明から明らかな通り、本考案によると、動物の形態をしたぬいぐるみの口部で楽しく眼鏡を拭くことができると共に、不使用時には置物としても使用することができる。
【考案を実施するための最良の形態】
【００１３】
以下、本考案の実施形態を図面に基づいて説明する。図１は本実施形態の眼鏡拭きの斜視図、図２は同じく眼鏡拭きの断面図、図３は同じく眼鏡拭きの底面図である。本眼鏡拭きは、全体が動物の形態をしたぬいぐるみからなる。本実施形態においては、犬の形態としたが、猫、うさぎ、熊、イルカ、カメ、アザラシ、シャチ等、その他の動物の形態としてもよい。
【００１４】
本眼鏡拭きは、開閉自在な口部１を有するぬいぐるみから成る。ぬいぐるみは、頭部２、胴体部３及び手足部４からなり、公知のぬいぐるみと同様に、周囲を包む外布５の内部に中綿６を入れて縫製されることにより立体的に形成される。立体的なぬいぐるみなので、置物としても使用することができる。
【００１５】
頭部２は、頭部本体２ａと、頭部本体２ａの下面に設けられた口部１と、頭部本体２ａの上面に縫着されたアップリケからなる目７及び鼻８と、外布５と同素材の耳９とから成る。口部１は、上方に位置する上顎部１０と下方に位置する下顎部１１とからなり、上顎部１０と下顎部１１とが接近したり離反したりすることにより、口部１が開閉自在とされる。
【００１６】
詳しくは、ぬいぐるみの外布５と同素材で縦長の楕円形状の表布１２と、これと同形で高密度繊維の織布からなる内布１３とを重ね合わせたものの周縁を縫製して結合し、その前半分の周縁を頭部本体２ａの下面に縫製することにより、上顎部１０が形成され、また、その後半分を前方向に折り畳むことにより、下顎部１１が形成される。表布１２と内布１３とを重ね合わせたものの前半分の後端が頭部本体２ａ下面に縫着されていないので、その開口１４ａから上顎部１０内（表布１２及び内布１３と頭部本体２ａ下面との間）に指を挿入することができ、指挿入用のポケット１４となる。ポケット１４に指を挿入すれば、指が上顎部１０に固定され、上顎部１０の操作がしやすくなる。
【００１７】
また、口部は、表布１２を頭部本体２ａの下面と対面させ、内布１３が口部１の内面側に位置するように配置される。したがって、口部１の内面で眼鏡を拭くことができる。なお、内布１３の色をピンク、赤、オレンジなどの暖色系とすれば、より口のイメージを連想することができるので好ましい。
【００１８】
さらにまた、下顎部１１の下面には、バンド状の指掛け用の紐１５が下顎の横方向に亘って設けられている。指掛け紐１５と下顎部１１の下面との間に指を通せば、指が下後部１１に固定され、下顎部１１の操作をしやすい。なお、表布１２と内布１３との間に、クッション材を入れれば、手と眼鏡との間がクッション材により埋まるので、より眼鏡を拭きやすくなる。
【００１９】
さらにまた、胴体部３の後端に、外布５と同素材のしっぽ１６が設けられ、頭部２の後方付根に１本の紐状のストラップ１７が設けられる。ストラップ１７は、その先端に骨形状の留め具１７ａが固定される。留め具１７ａを眼鏡ケース等のケース内に入れ、ストラップを挟んでケースの蓋を閉めれば、留め具１７ａがケース内部で引っ掛かるので、眼鏡ケースに本眼鏡拭きを着脱自在に取り付けることができる。なお、留め具１７ａの形状は限定されるものではない。
【００２０】
以上の構成によると、上顎部１０のポケット１４に人差し指を挿入し、下顎部１１の指掛け紐１５に親指を差し込めば、動物の口を指人形のように操ることができ、口部１の内面に縫着された眼鏡拭き布で楽しく眼鏡を拭くことができる。このとき、ポケット１４と指掛け紐１５により指が固定されるので、眼鏡を拭きやすい。また、本眼鏡拭きはぬいぐるみからなるので、不使用時には、テーブルなどに置いて置物として使用することができる。
【図面の簡単な説明】
【００２１】
【図１】本実施形態の眼鏡拭きの斜視図
【図２】同じく眼鏡拭きの断面図
【図３】同じく眼鏡拭きの底面図
【符号の説明】
【００２２】
１    口部
２    頭部
５    外布
６    中綿
１０  上顎部
１１  下顎部
１２  表布
１３  内布
１４  ポケット
１５  指掛け紐
１７  ストラップ
【図１】
0003102044.tif 000003
【図２】
0003102044.tif 000004
【図３】
0003102044.tif 000005